(57)【要約】      （修正有）【課題】照明器具としてキュービック形状で、格子の組子模様にして、キュービック体の角の一箇所に照明の光源にして、照明の投影で組子の模様によるシルエット模様を周囲に演出でるようにし、さらに、店舗などの数種のデザイン性看板、装飾板になって、格子組子の木理を鮮明に視認することができ、種々の組子模様によって、特有の格調を示す投影式組子付キュービック型照明装置を提供する。【解決手段】キュービック形状であって、各６面に格子の組子模様３にして、キュービック体の角の一箇所に照明の光源にして、前記光源から放される光を周辺の壁面に投影できるような構造になっている。【選択図】図１
0003192272.tif 000002
【実用新案登録請求の範囲】
【請求項１】
キュービック形状であって、各６面に格子の組子模様にして、キュービック体の角の一箇所に照明の光源にして、前記光源から放される光を周辺の壁面に投影できるような構造になっていることを特徴とする投影式組子付キュービック型照明装置
【請求項２】
キュービック形状は、縦、横、高さの長さをそれぞれ２００〜５００ｍｍであって、幅２〜１０ｍｍの樹脂製、又は木製、金属製の格子を組み立てた組子模様をもって、キュービック体の各６面に同一、又は異質の前記の組子模様を施していることを特徴とする請求項１に記載の投影式組子付キュービック型照明装置。
【請求項３】
組子は、麻の葉（真金、又は桐）模様、胡麻殻（亀甲）模様、桜（亀甲）模様、植江模様、紗綾形崩し模様、井筒割菱模様、割菱つなぎ模様、三重菱模様、千本格子模様、升格子模様、青海波模様、七宝模様の中から選ばれた１〜６種類で、キュービック体の６面にそれぞれ組み込まれていることを特徴とする請求項１又は請求項２に記載の投影式組子付キュービック型照明装置。
【請求項４】
放出される光を周辺の壁面に投影できるような構造としての照明の光源は、発光性の高い、ローソク、ＬＥＤ，白熱電球、蛍光電球から選ばれたものであって、キュービック体の内部に当該光源を取り付けて、当該装置を、飾り照明、又はスタンド、又は室内照明として、吊り下げ型、又は壁掛け型、又はスタンド式設置型で使用できるようにしていることを特徴とする請求項１〜請求項３のいずれかに記載の投影式組子付キュービック型照明装置。
【請求項５】
照明の光源によって放出される光を周辺の壁面に投影映像は、キュービック体の中心を通る対角線上に光源を設置して、光源から６面の組子面に投影して、周囲の面に幻想的な映像の投影が得られるようにしていることを特徴とする請求項１〜請求項４のいずれかに記載の投影式組子付キュービック型照明装置。
【考案の詳細な説明】
【技術分野】
【０００１】本考案は、キュービック形状の６面に格子の組子模様にして、前記光源から放される光を周辺の壁面に投影できる投影式組子組立キュービック型照明装置に関する。
【背景技術】
【０００２】  組子を使用した照明装置は既に採用されている。しかし、長方体、球形であって、しかも装飾性を増すために、和紙、或はプリントされた樹脂シートなどが貼られており、光源による投影などの効果をもたらしていない。また透明な化粧材として、銘木の突板（天然木単板）を例えば透明ガラス製の内部に埋設した化粧材が開発、利用された照明装置も存在している（特許文献１参照）。しかし、この種の照明装置の表面は、一般に表裏面の光沢や艶に欠ける他、光や熱に対して劣化し易く、耐候性や耐熱性等が不十分であるという欠点を有していた。【０００３】  また、この照明装置の表面は、従来より、所定厚の突板を浅底容器内の溶融樹脂の中へ埋め入れ、その後樹脂を固化させる方法により通常製造されて、カッティングシートを切り抜いて貼着パターンを表示担体に形成する工法において、より少ないサンプル数でより多彩な色彩表現を可能にしているが、投影的な効果は齎せていない。【０００４】  明かりをつけたときは，円形の隙間から放出されて出る光の影を楽しみ，使用していないときは，部屋のインテリアとしてもよいデザインの照明器具を提供するもので、長方形の断面を有する棒状の木材の短部を上面にして，一定間隔に軸方向にたいして適宜の角度を有する複数の溝を設け，その溝と溝との間に表面と裏面から半円形の切削部を設け，前期棒状木材の複数個を任意形状に組み込み，その表面及び裏面に半円形状の切削部が円形となるように形成し，組手に対応した形状の内枠及び外枠を設け，全体を任意形状に組み立て，外枠の下部の各先端部に足部を設け，外枠の中央部にソケットを介して電球を設け，台に取り付けたものが提案されている（特許文献３参照）。【０００５】部屋数が少なく狭い間取りの多い日本の住宅事情をふまえ、襖を閉じた暗い部屋に、ほのかな採光を取り入れ、間接照明に似た照明効果を演出する襖であって、下張りを組子単位でその枠内を切り抜き、白い和紙で下張り袋張りをし、上張りをして仕上げる等の方法により採光を部屋に取り入れ、更に切り抜きを多彩にアレンヂ出来ることから、従来の一般的な襖のイメージを一新し全く違った採光襖を造りだしたものが提案されている（特許文献４参照）。【０００６】  しかし木製の格子を使用した特殊組子を構成した菱型、立方体、などで組子形状を投影する照明装置は存在していない。
【先行技術文献】
【０００７】
【特許文献１】特公平８−１５５７０号
【特許文献２】特願平８−２６６４８１
【特許文献３】特開２００１−２１６８１１
【特許文献４】登録実用新案第３０６２２３０号
【考案の概要】
【考案が解決しようとする課題】
【０００８】組子を使用した照明装置は既に採用されている。しかし、長方体、球形であって、しかも装飾性を増すために、和紙、或はプリントされた樹脂シートなどが貼られており、光源による投影などの効果をもたらしていない。
商店、会場、部屋などの雰囲気作りに、照明器具の表面に組子模様の格子を貼り、内面には照明によって浮き出るようにした特徴ある組子模様を配置し、照明の投影で組子の模様によるシルエット模様を周囲に演出でるような照明を得ることが求められている。【０００９】さらに、目的は、店舗、室内、フロントなどの数種のデザイン性看板、装飾板になって、格子組子の木理を著しく鮮明に視認することができ、かつ組子に対して平行な表面を有する等、上記の種々の組子模様によって、光を投光することによってすばらしい組子のシルエットをかもし出す積層品の特性を有し、従来品に無い特有の格調を有する投影式組子付キュービック型照明装置を提供することにある。
【課題を解決するための手段】
【００１０】キュービック形状であって、各６面に格子の組子模様にして、キュービック体の角の一箇所に照明の光源にして、前記光源から放される光を周辺の壁面に投影できるような構造になっている投影式組子付キュービック型照明装置である。【００１１】キュービック形状は、縦、横、高さの長さをそれぞれ２００〜５００ｍｍであって、幅２〜１０ｍｍの樹脂製、又は木製、金属製の格子を組み立てた組子模様をもって、キュービック体の各６面に同一、又は異質の前記の組子模様を施している。【００１２】組子は、麻の葉（真金、又は桐）模様、胡麻殻（亀甲）模様、桜（亀甲）模様、植江模様、紗綾形崩し模様、井筒割菱模様、割菱つなぎ模様、三重菱模様、千本格子模様、升格子模様、青海波模様、七宝模様の中から選ばれた１〜６種類で、キュービック体の６面にそれぞれ組み込まれている。特に麻の葉模様、胡麻模様、桜模様の組子が投影には有効である。【００１３】放出される光を周辺の壁面に投影できるような構造としての照明の光源は、発光性の高い、ローソク、ＬＥＤ，白熱電球、蛍光電球から選ばれたものであって、キュービック体の内部に当該光源を取り付けて、当該装置を、飾り照明、又はスタンド、又は室内照明として、吊り下げ型、又は壁掛け型、又はスタンド式設置型で使用できるようにしている。光源としてはＬＥＤ，白熱電球が有効である。【００１４】照明の光源によって放出される光を周辺の壁面に投影映像は、キュービック体の中心を通る対角線上に光源を設置して、光源から６面の組子面に投影して、周囲の面に幻想的な映像の投影が得られるようにしている。
【考案の効果】
【００１５】本考案の投影式組子組立キュービック型照明装置は、従来品には無い特有の格調や趣きを有する。しかも、かかる特性は、組子形状で照明器具の面より光を当てて見れば、それ自身独自の様相になり、また投影により神秘的な映像、或は幻想的な映像の投影が周囲に、壁面に映し出される。【００１６】  組子の模様が種々あり、それの組み合わせで、投影された影絵が非常に多種になって興味が引かれる。部屋自身の装飾になって明るくなる。【００１７】  商業の場所にも設置して、顧客に関心を高める道具になる。組子の格子を抜いたところが光を通し鮮やかに映し出される。通常の照明器具の中から模様が光って浮き出したように見える。
【図面の簡単な説明】
【００１８】
【図１】  投影式組子組立キュービック型照明装置（スタンド型）の斜視図
【図２】  格子組子の状態図  Ａ：真金麻の葉模様、Ｂ：桐麻の葉模様、Ｃ：枡つなぎ模様、Ｄ：麻之葉模様、Ｅ：胡麻殻亀甲模様  Ｆ：桜亀甲模様
【図３】  吊り下げの投影式組子組立キュービック型照明装置の斜視図
【図４】  部屋の壁面に投影されている使用状態の写真図
【図５】  壁面に投影されている別模様の組子での使用状態の写真図
【考案を実施するための形態】
【００１９】本考案は、図１は、投影式組子組立キュービック型照明装置（スタンド型）の斜視図で、図２に格子組子の一状態図で、図３に  吊り下げ型の投影式組子組立キュービック型照明装置の斜視図を、図４、５に、部屋の壁面に投影されている使用状態の図を示した。
【実施例１】
【００２０】次に実施例において本考案をさらに詳細に説明するが、本考案の投影式組子組立キュービック型照明装置（スタンド型）の組子模様はこれに限定されない。
図１に示すように、キュービック体の形状・寸法は、縦２００ｍｍ、横２００ｍｍ、高さ２００ｍｍの長さであって、幅３ｍｍと２．１ｍｍの木製の格子を使用して組み立てた組子模様をもって、キュービック体の各６面に同一の組子模様を施した。【００２１】組子は、図２Ａのような麻の葉模様で、キュービックの６面にそれぞれ組み込み、照明の光源の白熱電球からの放出される光を周辺の壁面に投影できるような構造であって、キュービック体の内部に当該光源を取り付けて、該装置を、スタンド式設置型で使用できるようにしている投影式組子付キュービック型照明装置にした。【００２２】図４に示すように照明の光源によって放出される光を周辺の壁面に、麻の葉模様で投影映像した。光源は、キュービック体の中心を通る対角線上に光源を設置して、周囲の面に麻の葉模様での幻想的な映像の投影が得られた。部屋自体が非常に幻想的に雰囲気になった。
【実施例２】
【００２３】図３に示すように、キュービック形状は、縦、横、高さの長さをそれぞれ３００ｍｍであって、幅３ｍｍの木製の格子を組み立てた組子模様をもって、キュービックの各６面に３種類麻の葉模様の組子模様を施した。【００２４】組子は、キュービック形状の６面の交互に配置して、図２Ａに示すような麻の葉模様を入れて、キュービックの６面にそれぞれ組み込んだ。
放出される光を周辺の壁面に投影できるような構造としての照明の光源は、発光性の高い、ＬＥＤであって、キュービック体の地中心部に当該光源を取り付けて、該装置を、飾り照明として、吊り下げ型で使用できるようにしている投影式組子付キュービック型照明装置である。【００２５】照明の光源によって放出される光を周辺の壁面に投影映像は、実施例１と同様に図４に示されるように幻想的な映像の投影が得られるようにした。
【実施例３】
【００２６】キュービック形状は、縦、横、高さの長さをそれぞれ２５０ｍｍであって、幅２ｍｍの木製の格子を組み立てた組子模様をもって、キュービックの各６面に同一の組子模様を施した。組子は、図２Ｅに示すように、胡麻模様で、キュービックの６面にそれぞれ組み込んだ。【００２７】放出される光を周辺の壁面に投影できるような構造としての照明の光源は、発光性の高い、２０Ｗの白熱電球であって、キュービック体の６面の中心部になるように当該光源を取り付けて、該装置を、スタンド式設置型で使用できるようにしている投影式組子付キュービック型照明装置である。【００２８】照明の光源によって放出される光を周辺の壁面に投影映像は、キュービック体の中心を通る対角線上に光源を設置して、幻想的な映像の投影が得られるようにした。
【符号の説明】
【００２９】１．枠体
２．格子組子
３．組子模様
４．光源
５．投影面
６．台
７．吊り下げ紐
【図１】
0003192272.tif 000003
【図２】
0003192272.tif 000004
【図３】
0003192272.tif 000005
【図４】
0003192272.tif 000006
【図５】
0003192272.tif 000007